(57)【要約】      （修正有）【課題】複数の針を、一体に保護する構造としたルアーの針カバーを提供する。【解決手段】ルアーの針Ａ１をカバーする可撓性部材で構成した本体は、頭部と、枝部で構成し、頭部と枝部には、針係止用の溝を、それぞれ形成する構成としたルアーの針カバーとする。従って、二針に、同時にカバーを取付け得る利点と、針相互間の連帯性を図り、かつバラバラな動きを無くし、都合がよく、しかも嵩張らず、コンパクトに、かつ安定的な針カバーを形成する。【選択図】図１−５
0003176425.tif 000002
【実用新案登録請求の範囲】
【請求項１】
ルアーに備えられた一本、又は数本の針をカバーする可撓性部材で構成した本体には、頭部と、枝部を構成し、この頭部及び枝部には、針係止用の溝を、それぞれ形成する構成としたルアーの針カバー。
【請求項２】
請求項１に記載のルアーの針カバーであって、
前記頭部を球体、又は扁平球体とするとともに、枝部を、連結枝部位と、平板枝部位とする構成とし、この頭部にデルタ形状で、かつこの球体、又は扁平球体の外周面と、枝部に開放された縦溝を形成するとともに、この枝部の連結枝部位に、鉛直方向に開口した切条溝を形成し、かつこの枝部の平板枝部位に、前記切条溝とは隔離された環状溝を形成する構成としたルアーの針カバー。
【請求項３】
請求項１に記載のルアーの針カバーであって、
前記頭部を球体とするとともに、枝部の連結枝部位は、この球体の直径に相当する高さを備え、かつこの高さ部位の両側には、外側に開放し、かつ前記切条溝に繋がる対の凹み部を形成する構成としたルアーの針カバー。
【請求項４】
請求項１に記載のルアーの針カバーであって、
前記頭部を半截球体とするとともに、枝部の連結枝部位は、この半截球体の直径に相当する高さを備え、かつこの高さ部位には、外側に開放し、かつ前記切条溝に繋がる凹み部を形成する構成としたルアーの針カバー。
【請求項５】
請求項１に記載のルアーの針カバーであって、
前記本体は、カラー構造とすることで、色分けして、各ルアーに取付ける構成としたルアーの針カバー。
【考案の詳細な説明】
【技術分野】
【０００１】
本考案は、ルアーの針カバーであって、ルアーケース内に、複数のルアーを収容するに最適で、かつ構造が簡単で、効果があるルアーの針カバーに関する。
【背景技術】
【０００２】
従来、ルアーの針カバーは、市販された商品と、従来文献に挙げられた発明等がある。その構造は、針を個別にカバーする構造であり、例えば、特開平９−２９４５０９号公報（文献１とする）に記載の構造と、特開２００３−１１６４３５号公報（文献２とする）に記載の構造とかがある。
【０００３】
この文献１、２（発明とする）は、前述した如く、針をフックカバー、釣り針カバー（総称してカバーとする）を、それぞれの針に取付け、個別に保護することを意図する。しかし、この発明では、次のような改良点が挙げられる。その一例を説明すると、一針毎にカバーを取付けることでは、針相互間の連帯性がなく、バラバラな動きをして、かえって都合が悪いこと、嵩張ること、等がある。尚、この改良として、文献１では、連結帯を設ける構造が開示されているが、単に、カバー同士を連繋するに留まり、煩わしいこと、体裁が良くないこと、又は収容時に邪魔となること、等の改良が考えられる。さらに、前記の如く、一針毎にカバーを取付け、連帯性がなく構造では、ルアーケースに、カバー付きルアーを収容した際に、このカバーが絡みつくこと、嵩張り、収容に困ること、又はルアーケースへの収容個数が少なくなること、等の問題が考えられる。さらに、
【特許文献１】特開平９−２９４５０９号公報
【特許文献２】特開２００３−１１６４３５号公報
【考案の概要】
【考案が解決しようとする課題】
【０００４】
前記で、列挙した発明では、前述した如く、一針毎にカバーを取付けることでは、針相互間の連帯性がない構造に基づく、改良と問題を抱えている。
【０００５】
そこで、本考案は、複数の針を、カバーで一体に保護する構造とし、その改良と問題解決を図りつつ、さらに進化した、ルアーの針カバーを提供する。これにより、次のような特徴が生まれる。［イ］  少なくとも、二針に、同時にカバーを取付けることで、針相互間の連帯性を図りつつ、針のバラバラな動きを無くすこと、又は都合がよく、かつ嵩張らず、コンパクトに、かつ安定的にカバーできる。［ロ］  少なくとも、二針を、同時にカバーできることで、針、及びカバー同士の連繋を図り、煩わしさの解消と、体裁確保を図りつつ、かつ収容時の絡み付き解消とともに、容易な収容と取出しが図れる。［ハ］  併せて、針、及びカバー同士の連繋を図り、ルアーケースに、カバー付きルアーを、容易かつ迅速に収容可能とすること、また、カバーの絡み付き解消と、ルアーの選択の容易化・迅速化等が図れること、等である。［ニ］  少なくとも、二針に、同時にカバーを取付けることで、ルアーケースに整然と収容でき、かつこのルアーケースへの収容個数を拡張できること、等である。［ホ］  また、本考案は、ファスナーに取付けできる切条溝を形成することで、使用しない（未使用）ときの支持と、再度の使用の際の利便性が図れること、等である。
【課題を解決するための手段】
【０００６】
前述した、本考案の特徴を達成するために、下記の請求項１〜５に記載した構造を提供する。
【０００７】
請求項１の考案では、ルアーに備えられた一本、又は数本の針をカバーする可撓性部材で構成した本体には、頭部と、枝部を構成し、この頭部及び枝部には、針係止用の溝を、それぞれ形成する構成としたルアーの針カバーとする。
【０００８】
請求項２の考案では、請求項１に記載のルアーの針カバーであって、
前記頭部を球体、又は扁平球体とするとともに、枝部を、連結枝部位と、平板枝部位とする構成とし、この頭部にデルタ形状で、かつこの球体、又は扁平球体の外周面と、枝部に開放された縦溝を形成するとともに、この枝部の連結枝部位に、（高さ方向において）鉛直方向に開口した切条溝を形成し、かつこの枝部の平板枝部位に、前記切条溝とは隔離された環状溝を形成する構成としたルアーの針カバーとする。
【０００９】
請求項３の考案では、請求項１に記載のルアーの針カバーであって、
前記頭部を球体とするとともに、枝部の連結枝部位は、この球体の直径に相当する高さを備え、かつこの高さ部位の両側には、外側に開放し、かつ前記切条溝に繋がる対の凹み部を形成する構成としたルアーの針カバーとする。
【００１０】
請求項４の考案では、請求項１に記載のルアーの針カバーであって、
前記頭部を半截球体とするとともに、枝部の連結枝部位は、この半截球体の直径に相当する高さを備え、かつこの高さ部位には、外側に開放し、かつ前記切条溝に繋がる凹み部を形成する構成としたルアーの針カバーとする。
【００１１】
請求項５の考案では、請求項１に記載のルアーの針カバーであって、
前記本体は、カラー構造とすることで、色分けして、各ルアーに取付ける構成としたルアーの針カバーとする。
【考案の効果】
【００１２】
請求項１の考案は、ルアーに備えられた一本、又は数本の針をカバーする可撓性部材で構成した本体には、頭部と、枝部を構成し、頭部及び枝部には、針係止用の溝を、それぞれ形成する構成としたルアーの針カバーとする。
【００１３】
従って、請求項１の考案では、下記の特徴がある。
［イ］  少なくとも、二針に、同時にカバーを取付けることで、針相互間の連帯性を図りつつ、針のバラバラな動きを無くすこと、また、都合がよく、かつ嵩張らず、コンパクトに、かつ安定的にカバーできる。
［ロ］  少なくとも、二針を、同時にカバーできることで、針、及びカバー同士の連繋を図り、煩わしさの解消と、体裁確保を図りつつ、かつ収容時の絡み付き解消とともに、容易な収容と取出しが図れる。
［ハ］  併せて、針、及びカバー同士の連繋を図り、ルアーケースに、カバー付きルアーを、容易かつ迅速に収容可能とすること、また、カバーの絡み付き解消と、ルアーの選択の容易化・迅速化等が図れること、等である。
［ニ］  少なくとも、二針に、同時にカバーを取付けることで、ルアーケースに整然と収容でき、かつこのルアーケースへの収容個数を拡張できること、等である。
【００１４】
請求項２の考案は、請求項１に記載のルアーの針カバーであって、
頭部を球体、又は扁平球体とするとともに、枝部を、連結枝部位と、平板枝部位とする構成とし、この頭部にデルタ形状で、かつ球体、又は扁平球体の外周面と、枝部に開放された縦溝を形成するとともに、枝部の連結枝部位に、鉛直方向に開口した切条溝を形成し、かつ枝部の平板枝部位に、切条溝とは隔離された環状溝を形成する構成としたルアーの針カバーとする。
【００１５】
従って、請求項２の考案では、前記「イ」〜「ニ」を達成するに、最適な針カバーを提供できる。
【００１６】
請求項３の考案は、請求項１に記載のルアーの針カバーであって、
頭部を球体とするとともに、枝部の連結枝部位は、球体の直径に相当する高さを備え、かつ高さ部位の両側には、外側に開放し、かつ切条溝に繋がる対の凹み部を形成する構成としたルアーの針カバーとする。
【００１７】
従って、請求項３の考案では、前記「イ」〜「ニ」を達成するに、最適な針カバーの頭部と枝部の、好ましい構造を提供できる。
【００１８】
請求項４の考案は、請求項１に記載のルアーの針カバーであって、
頭部を半截球体とするとともに、枝部の連結枝部位は、半截球体の直径に相当する高さを備え、かつ高さ部位には、外側に開放し、かつ切条溝に繋がる凹み部を形成する構成としたルアーの針カバーとする。
【００１９】
従って、請求項３の考案では、前記「イ」〜「ニ」の他に、下記の特徴を有する。
［ホ］  また、本考案は、ファスナーに取付けできる切条溝を形成することで、使用しない（未使用）ときの支持と、再度の使用の際の利便性が図れること、等である。
【００２０】
請求項５の考案は、請求項１に記載のルアーの針カバーであって、
本体は、カラー構造とすることで、色分けして、各ルアーに取付ける構成としたルアーの針カバーとする。
【００２１】
従って、請求項５の考案では、前記「イ」〜「ニ」を達成するに、識別性と、カラフル化が図れる針カバーを提供できる。
【図面の簡単な説明】
【００２２】
【図１−１】第一実施例を示しており、その平面図である。
【図１−２】第一実施例を示しており、その正面図である。
【図１−３】第一実施例を示しており、その側面図である。
【図１−４】第一実施例を示しており、その斜視図である。
【図１−５】第一実施例を示しており、その使用状態を示した断面図である。
【図１−６】第一実施例を示しており、その未使用時の支持の一例を示した模式図である。
【図２−１】第二実施例を示しており、その平面図である。
【図２−２】第二実施例を示しており、その正面図である。
【図２−３】第二実施例を示しており、その側面図である。
【図２−４】第二実施例を示しており、その斜視図である。
【図２−５】第二実施例を示しており、その使用状態を示した断面図である。
【図２−６】第一実施例を示しており、その未使用時の支持の一例を示した模式図である。
【図３−１】第三実施例を示しており、その平面図である。
【図３−２】第三実施例を示しており、その正面図である。
【図３−３】第三実施例を示しており、その側面図である。
【図３−４】第三実施例を示しており、その斜視図である。
【図３−５】第三実施例を示しており、その使用状態を示した断面図である。
【図３−６】第三実施例を示しており、その未使用時の支持の一例を示した模式図である。
【図４−１】第四実施例を示しており、その平面図である。
【図４−２】第四実施例を示しており、その正面図である。
【図４−３】第四実施例を示しており、その側面図である。
【図４−４】第四実施例を示しており、その斜視図である。
【図４−５】第四実施例を示しており、その使用状態を示した断面図である。
【図４−６】第四実施例を示しており、その未使用時の支持の一例を示した模式図である。
【考案を実施するための形態】
【００２３】
以下、第一実施例〜第四実施例に共通する構成を説明すると、１は、可撓性部材（可撓性樹脂、例えば、シリコン樹脂）でなる本体であり、この本体１は、球体、又は扁平球体（球体の略倍の寸法で、例えば、扁平形状）でなる頭部２と、この頭部２に繋がる枝部３とで構成する。そして、この頭部２には、デルタ形状で、かつ球体、又は扁平球体の外周面２００と、枝部３に開放された縦溝２ａを形成する。この例における、扁平球体では、上下に縦溝２ａ、２ａを形成する（一方も可能）。また、枝部３は、全体を、同じ肉厚構造とした帯状とすることと、材質の特性を利用して、延展可能な構造とするとともに、平板枝部位３０１は、連結枝部位３００に対して、幅Ｙ広の構造とする。そして、この連結枝部位３００には、その長手方向Ｘには、長手方向Ｘに対して、鉛直方向Ｑに開口した（貫通した）切条溝３ａを形成する。そして、望ましくは、この切条溝３ａを、縦溝２ａと離間させて、後述する延展時の頭部２、及び／又は、連結枝部位３００の亀裂防止を図ることが有効である。また、平板枝部位３０１の連結枝部位３００側に近似した位置に形成されているとともに、切条溝３ａとは隔離された貫通した環状溝３ｂ（丸孔）を形成した構成である。尚、この切条溝３ａと環状溝３ｂとが連繋した構成も可能である。この連繋した構造は、例えば、切条溝３ａの溝幅Ｙが細めの構造、又は切条溝３ａと縦溝２ａの位相・形状等を変えること、或いは連結枝部位３００の形状を変えること等を考慮した際に可能と考えられる。この連結枝部位３００は、延展可能であり、この結果、切条溝３ａは、長手方向Ｘに引伸ばされて、その溝の長さが、長短する。即ち、例えば、頭部２を一方の手の指で把持し、他方の手で平板枝部位３０１を把持し、この平板枝部位３０１を、引張することで、切条溝３ａを備えた、肉薄形状の連結枝部位３００が引伸ばされることから、力を要さず、後述するルアーＡの針Ａ１への係止、又は針カバーのファスナーＢへの支持等の作業が、簡便に行えることが考えられる。また、前記平板枝部位３０１の表面３０１ａ、及び／又は、裏面３０１ｂには、防滑用の凹凸、網目等を設ける構造、又はマーク、図柄等の識別手段を設けることも可能である。また、カラー構造とすることで、色分けして、各ルアーに、最適な各色を使用することが望ましい。
【００２４】
以下、各実施例の特徴を説明する。
【００２５】
図１−１〜図１−４に示した第一実施例では、頭部２が球体を呈し、この球体の頭部２の一方側面で、その底側より、連結枝部位３００が延設して設けられた構造である。この連結枝部位３００には、平板枝部位３０１が連設され（設けられ）、帯状の枝部３が構成される。そして、頭部２に設けられた縦溝２ａと、連結枝部位３００に設けられた切条溝３ａ、並びに平板枝部位３０１に設けられた環状溝３ｂ等の構造は、前述の説明の通りである。
【００２６】
次に、図２−１〜図２−４に示した第二実施例では、頭部２が扁平球体を呈し、この扁平球体の頭部２の鉛直方向Ｑの中間より、連結枝部位３００が延設して設けられた構造である。この連結枝部位３００に平板枝部位３０１が連設され、帯状の枝部３が構成される。この実施例では、頭部２の鉛直方向Ｑの上下に対峙して設けられた縦溝２ａ、２ａ（対のときは、一方の符号を示す）が設けられている。その他、連結枝部位３００に設けられた切条溝３ａ、並びに平板枝部位３０１に設けられた環状溝３ｂ等の構造は、前述の第一実施例の説明の通りである。
【００２７】
図３−１〜図３−４に示した第三実施例では、頭部２が球体を呈し、この球体の頭部２の底面より、連結枝部位３００が延設して設けられた構造である。但し、頭部２の径が、大きく、例えば、第一・第二実施例に対して、１．５倍とし、連結枝部位３００の延設寸法が、長く、例えば、長手方向Ｘにおいての長さが、第一・第二実施例に対して、略３倍のとする。そして、連結枝部位３００の鉛直方向Ｑの高さ（高さとする）が、頭部２の径と、略同じとする。従って、この第三実施例は、大型のルアーＡとか、針Ａ１が大きい構造、又は針Ａ１の間隔が大きい構造等に対応する。その他、この連結枝部位３００に平板枝部位３０１が延設され、帯状の枝部３が構成される。そして、頭部２に設けられた縦溝２ａと、連結枝部位３００の端部に設けられた切条溝３ａ、並びに平板枝部位３０１に設けられた環状溝３ｂ等の構造、或いは平板枝部位３０１の寸法、及び／又は、構造等は、前述の説明の通りである。尚、連結枝部位３００の高さを確保したことに鑑み、軽量化と可撓性（延展性）を確保すること、等を意図して、縦溝２ａに連設する、板状の底部を有する窪み部３ａ１を形成する。また、この窪み部３ａ１の終端に、かつ底部をカットし、かつ枝部３の鉛直方向Ｑに前記切条溝３ａが開設される構造となっており、切条溝３ａの延展性を確保する構造としてある。
【００２８】
次に、図４−１〜図４−４に示した第四実施例では、頭部２が扁平球体を呈し、この扁平球体の頭部２の鉛直方向Ｑの中間より、連結枝部位３００が延設して設けられた構造である。この連結枝部位３００に平板枝部位３０１が連設され、帯状の枝部３が構成される。この実施例では、頭部２の鉛直方向Ｑの上下に対峙して設けられた縦溝２ａ、２ａ（対のときは、一方の符号を示す）が設けられている。その他、連結枝部位３００に設けられた切条溝３ａ及び窪み部３ａ１、並びに平板枝部位３０１に設けられた環状溝３ｂ等の構造は、前述の第三実施例の説明の通りである。
【００２９】
次に、ルアーＡに備えられた一本、又は数本の針Ａ１をカバーする、好ましい、一例を説明する。但し、針Ａ１の形状、又は針Ａ１の分岐本数、或いは針Ａ１と針Ａ１の間隔等で、カバーの取付け方は変更される。
【００３０】
先ず、図１−５・図２−５に示した第一・第二実施例では、縦溝２ａを開くようにして、ルアーＡの、例えば、一方側の一本（場合により、数本も可能。以下同じ）の針Ａ１を差込み、その可撓性部材（素材）の戻りを利用して、柔らかに挟む。この戻りで、針Ａ１の離脱防止を図りつつ、優しく抱持（支持）する。続いて、平板枝部位３０１を把持して、連結枝部位３００、及び／又は、平板枝部位３０１を延展し、その環状溝３ｂの溝孔に、他方側の一本の針Ａ１、及びこの針Ａ１のアゴＡ２（モドシ・カエシ・バーブ）を差込み、場合により環状溝３ｂの内側縁面に係止するとともに、連結枝部位３００の延展を解除する。これにより、他方側の一本の針Ａ１は確実に止められる（係止される）。これによって、一方側・他方側の一本の針Ａ１は、カバーに係止、かつ抱持されるとともに、ルアーＡの長手方向Ｘに、本体１が並列状（図１−５・図２−５参照）に成るとともに、図示しないが、平面視すると、ルアーＡの下側に、本体１が隠れる構造となる。従って、前述した如く、少なくとも、「イ」〜「ニ」の特徴がある。
【００３１】
尚、図示しないが、この図１−５・図２−５に示した第一・第二実施例の他の例では、縦溝２ａに、一方側の一本の針Ａ１を差込み、優しく抱持することは、前述の例に準ずる。続いて、平板枝部位３０１を把持して、連結枝部位３００を延展し、その切欠溝３ａの溝孔に、他方側の一本の針Ａ１を差込み、この溝孔の縁を迂回し、望ましくは、針Ａ１のアゴＡ２を、環状溝３ｂの内側縁面に係止するとともに、連結枝部位３００の延展を解除し、この他方側の一本の針Ａ１をカバーする構造も可能で有る。その他の構造と特徴は、前述の例に準ずる。
【００３２】
さらに、図示しないが、この図１−５・図２−５に示した第一・第二実施例のその他の例では、他方側の一本の針Ａ１を、環状溝３ｂに差込み、その環状縁部に係止する構造も可能である。いずれにしても、前述の針Ａ１の形状、又は針Ａ１の分岐本数、或いは針Ａ１と針Ａ１の間隔等で、他方側の一本の針Ａ１と、切欠溝３ａ、又は環状溝３ｂとの関係は、逐次、変更されることで、このカバーの取付け方は変更される。
【００３３】
そして、図３−５・図４−５に示した第三・第四実施例では、前述の説明による、第一・第二実施例の各例に準ずる。
【００３４】
続いて、カバー未使用時の保管（カバーの支持の一例）を説明すると、この保管は、第一実施例〜第四実施例も共通すると考えられることから、まとめて説明する。その状態が、図１−６〜図４−６にそれぞれ示されており、例えば、切条溝３ａを拡開（連結枝部位３００を延展）し、ファスナーＢの取手Ｂ１の適所に掛止め等して支持する。このような操作で、簡易に、カバーの本体１を保持できることで、忘失せず、また、必要時には、瞬時に手に取ることができ、重宝する。
【００３５】
以上で前述した第一実施例〜第四実施例は、好ましい一例を示したものであり、同様な効果と特徴を有する他のカバーは、本考案の範疇である。
【符号の説明】
【００３６】
１      本体
２      頭部
２００      外周面
２ａ      縦溝
３        枝部
３００      連結枝部位
３０１      平板枝部位
３０１ａ      表面
３０１ｂ      裏面
３ａ      切条溝
３ａ１      窪み部
３ｂ      環状溝
Ａ        ルアー
Ａ１      針
Ａ２      アゴ
Ｂ      ファスナー
Ｂ１      取手
Ｘ      長手方向
Ｑ      鉛直方向
Ｙ      幅
【図１−１】
0003176425.tif 000003
【図１−２】
0003176425.tif 000004
【図１−３】
0003176425.tif 000005
【図１−４】
0003176425.tif 000006
【図１−５】
0003176425.tif 000007
【図１−６】
0003176425.tif 000008
【図２−１】
0003176425.tif 000009
【図２−２】
0003176425.tif 000010
【図２−３】
0003176425.tif 000011
【図２−４】
0003176425.tif 000012
【図２−５】
0003176425.tif 000013
【図２−６】
0003176425.tif 000014
【図３−１】
0003176425.tif 000015
【図３−２】
0003176425.tif 000016
【図３−３】
0003176425.tif 000017
【図３−４】
0003176425.tif 000018
【図３−５】
0003176425.tif 000019
【図３−６】
0003176425.tif 000020
【図４−１】
0003176425.tif 000021
【図４−２】
0003176425.tif 000022
【図４−３】
0003176425.tif 000023
【図４−４】
0003176425.tif 000024
【図４−５】
0003176425.tif 000025
【図４−６】
0003176425.tif 000026